(57)【要約】【課題】部分的な発汗作用および保湿作用を発揮するボトムなどの衣類を提供する。【解決手段】身体に密着する伸縮性を備えたパンツなどのボトム生地２，３の裏側に、生地の伸縮に追随可能な伸縮性を備えた通気遮断層６，７を部分的に形成し、この通気遮断層６，７を身体に密着可能な熱可塑性エラストマーから構成し、部分的あるいは局部的に発汗作用および保湿作用を発揮させ、新陳代謝を促す。さらに、熱可塑性エラストマーにコラーゲン等の食物繊維、イソフラボン等のホルモン、あるいはスクワランである油性保湿成分などを充填材として混入し、これらの成分の効能も併せて持たせる。【選択図】  図１
2006132032.tif 000002
【特許請求の範囲】
【請求項１】
生地の裏側に通気遮断層が部分的に形成されたことを特徴とする衣類。
【請求項２】
前記生地が伸縮性を有し、前記通気遮断層が前記生地の伸縮に追随する弾性を備えたことを特徴とする請求項１に記載の衣類。
【請求項３】
前記生地が身体に密着する伸縮性を備えたことを特徴とする請求項２に記載の衣類。
【請求項４】
前記通気遮断層がシート状に形成され、前記生地に接合されたことを特徴とする請求項１〜３のいずれかに記載の衣類。
【請求項５】
前記通気遮断層がゴム状弾性体から構成されたことを特徴とする請求項１〜４のいずれかに記載の衣類。
【請求項６】
前記通気遮断層が熱可塑性エラストマーから構成されたことを特徴とする請求項５に記載の衣類。
【請求項７】
前記衣類がシャツ、ボトム、サポータなどのインナーであることを特徴とする請求項１〜６のいずれかに記載の衣類。
【請求項８】
生地の裏側に熱可塑性エラストマーから構成された通気遮断層が形成されたことを特徴とするフェイスマスク。
【請求項９】
生地の裏側に熱可塑性エラストマーから構成された通気遮断層が全面あるいは部分的に形成されたことを特徴とする包帯類。
【発明の詳細な説明】
【技術分野】
【０００１】
本発明は、部分的に発汗作用および保湿作用を発揮する衣類に関するものである。
【背景技術】
【０００２】
特許文献１には、バストの下部、ウエスト、腹部などに密着させて着用し、着用位置の体温を上昇させ、体脂肪の燃焼を促すと共に発汗を促すウエストスーツが開示されている。
【０００３】
また、特許文献２には、素肌の腕に着用する腕用ゴム、腹に着用する腹用ゴム、、足に着用する足用ゴムを夫々設けて、保温効果、皮膚乾燥防止、発汗効果を促す着用ゴムが開示されている。
【特許文献１】登録実用新案第３０４３８９６号公報
【特許文献２】特開２００２−１５５４０８号公報
【発明の開示】
【発明が解決しようとする課題】
【０００４】
ところで、特許文献１のウエストスーツは、スーツ全体を身体に密着させる手法であり、また、特許文献２では、各パーツ全体で身体に密着させる手法を採用している。このような手法では、全体的にむれ感があり、身体を部分的に、あるいは局部的に発汗させる衣類としては適さない。
【０００５】
本発明は、部分的に発汗作用や保湿作用を発揮することができる衣類の提供を目的としている。
【課題を解決するための手段】
【０００６】
上記目的を達成するため、本発明では、生地の裏側に通気遮断層が部分的に形成することで、部分的あるいは局部的に発汗作用や保湿作用を発揮する。
【０００７】
この場合の生地は、非伸縮性・伸縮性の有無を問わないが、伸縮性生地を使用するときには、通気遮断層を生地の伸縮に追随する弾性を備え、通気遮断層の剥離を防止して、耐久性を向上させる。伸縮性の生地は身体に密着することが好ましい。これにより、通気遮断層による保温性が一層促進され、発汗作用や保湿作用を発揮することができる。
【０００８】
通気遮断層の形成手法としては、シート状の通気遮断層を生地に接合する態様が例示できる。また、この通気遮断層としては、ゴム状弾性体、例えば、熱可塑性エラストマーから構成することができる。
【０００９】
また、衣類は、シャツ、ボトム、サポータなどのインナーのみならず、アウターをも含む。特に、スパッツなどの伸縮性のボトムに本発明を適用するのが好適である。さらに、上記通気遮断層は、衣類と類似するフェイスマスクや包帯類の生地の裏側に全面あるいは部分的に形成することもできる。
【発明の効果】
【００１０】
以上のように、本発明によると、衣類でありがなら、生地の裏側に通気遮断層が部分的に形成しているので、部分的あるいは局部的に発汗作用や保湿作用を発揮し、新陳代謝を図ることができる。
【発明を実施するための最良の形態】
【００１１】
以下、本発明の実施形態である衣類としてのボトムスパッツを図１〜図３に基づいて説明する。図１本発明の一実施形態であるボトムスパッツを裏返した状態を示す正面斜視図、図２は図１の裏面側を示す背面図、図３はボトムスパッツの断面図である。
【００１２】
図に示すように、ボトムスパッツ１は、前身頃２および後身頃３から構成され、前身頃の腹部４を構成する生地の裏面、後身頃３の脚部５を構成する生地の裏面に、それぞれ通気遮断層６、７が部分的に形成されている。
【００１３】
身頃２，３は、スパッツを構成するため、伸縮性生地を使用されている。通気遮断層６，７は、伸縮性生地の伸縮の追随できる弾性を備えるために、シート状のゴム状弾性体、例えば、熱可塑性エラストマー（例えば、イノアックコーポレーション社製のスチレン系ゲル  ＮＡＧＦＬＥＸ）から構成することができる。
【００１４】
熱可塑性エラストマーの物性としては、アスカー硬度Ｆ７６、引張強度２．４ＭＰａ、伸び＞１６００％、圧縮永久歪１５％（湿度２５％、７０℃、２２ｈ）、ブリード量１．６％（１００ｇ／ｃｍ２、２４ｈ）を例示することができる。
【００１５】
この熱可塑性エラストマーには、コラーゲン等の食物繊維、イソフラボン等のホルモン、あるいはスクワランである油性保湿成分等を充填材として混入し、これらの成分による効能を付加するようにしてもよい。
【００１６】
この熱可塑性エラストマーをシート状に成形して、身頃生地に部分的に熱融着し、通気遮断層６，７を形成する。通気遮断層６，７を形成する部位は、部分的・局部的に発汗作用・保湿作用を促したい部位とする。例示のように、腹部４や脚部５が好適である。
【００１７】
上記構成においては、ボトム生地の裏側に通気遮断層６，７が部分的に形成されているので、通気遮断層６，７が身体に密着し、保温効果を高めることができる。そのため、運動した場合などに、通気遮断層６，７のある部位で発汗作用および保湿作用を部分的あるいは局部的に促すことができ、新陳代謝を図ることができる。
【００１８】
このとき、通気遮断層６，７の形成部位以外はボトム生地がそのまま身体に密着するため、ボトム生地として通気性素材を使用した場合には、むれ感を防止することができ、快適な着用感をそのまま維持することができる。
【００１９】
このように、ボトムなどの衣類でありがなら、生地の裏側に通気遮断層６，７を部分的に形成しているので、部分的あるいは局部的に発汗作用や保湿作用を発揮し、新陳代謝を促すことができる。
【００２０】
図４〜図７は他の実施形態を示すものである。図４（ａ）はインナーシャツ１０を裏返した状態で示す正面図、（ｂ）は同じくその背面図である。この例では、インナーシャツ１０の裏側の脇腹部分に通気遮断層６を形成している。
【００２１】
図５（ａ）はウエストサポータ１１を裏返した状態を示す正面図、（ｂ）は同じくその背面図である。この例では、サポータの裏側の脇腹部分に通気遮断層６を形成している。
【００２２】
図６は上腕やふくらはぎに装着するサポータ１３を裏返した状態で示す裏面図である。この例では、サポータ１３の裏側の背面側に通気遮断層６を部分的に形成し、ふくらはぎや上腕の裏側に当てるようにし、これらの部分に発汗作用と保湿作用を促すことができるようになっている。
【００２３】
図７はフェイスマスク１５の裏面図である。フェイスマスク１５の生地の裏側に熱可塑性エラストマーから構成された通気遮断層８が形成されている。
【００２４】
これら図４〜図７のいずれの例でも、通気遮断層６，８の構成は図１〜図３に示す例と同様に構成されており、この通気遮断層６，８により、部分的あるいは局部的に発汗作用および保湿作用を発揮させることができる。
【図面の簡単な説明】
【００２５】
【図１】本発明の一実施形態であるボトムスパッツを裏返した状態を示す正面斜視図
【図２】図１の裏面側を示す背面図
【図３】ボトムスパッツの断面図
【図４】（ａ）はインナーシャツを裏返した状態を示す正面図、（ｂ）は同じくその背面図
【図５】（ａ）はウエストサポータを裏返した状態を示す正面図、（ｂ）は同じくその背面図
【図６】上腕およびふくらはぎのサポータを裏返した状態を示す背面図
【図７】フェイスマスクの裏面を示す裏面図
【符号の説明】
【００２６】
１    ボトムスパッツ
２    前身頃
３    後身頃
４    腹部
５    脚部
６，７，８    通気遮断層
１０    インナーシャツ
１１    ウエストサポータ
１３    上腕あるいはふくらはぎのサポータ
１５    フェイスマスク
【図１】
2006132032.tif 000003
【図２】
2006132032.tif 000004
【図３】
2006132032.tif 000005
【図４】
2006132032.tif 000006
【図５】
2006132032.tif 000007
【図６】
2006132032.tif 000008
【図７】
2006132032.tif 000009